(57)【特許請求の範囲】
【請求項１】
凝集反応測定用磁石板であって、
配設した複数個の穴を有する磁石挿入板に隣接する磁石の磁極の向きを異ならせて該磁石を嵌挿した磁石板本体と、
該磁石板本体の一方の面に固定される支持板と、
他の面に固定される前記複数個の穴に対応して座ぐり穴を設けたカバー板と、を備え、
前記磁石挿入板が非磁性体からなり、前記支持板が磁性体からなることを特徴とする凝集反応測定用磁石板。
【請求項２】
前記配設した複数個の穴の隣接する行又は列毎に前記磁石の磁極の向きを異ならせて挿嵌保持した請求項１記載の凝集反応測定用磁石板。
【請求項３】
前記配設した複数個の穴の行及び列の隣接する前記磁石の磁極の向きを異ならせて挿嵌保持した請求項１記載の凝集反応測定用磁石板。
【請求項４】
前記磁石挿入板がアルミ製であり、前記支持板が鉄製であり、前記カバー板がアルミ製である請求項１〜３のいずれか１つに記載の凝集反応測定用磁石板。
【請求項５】
前記カバー板において、座ぐり穴が底部に向けて次第に狭くなる傾斜穴である請求項１〜４のいずれか１つに記載の凝集反応測定用磁石板。
【請求項６】
前記凝集反応測定用磁石板を検体と感作磁性粒子とを入れた容器の底部に当接して、前記磁性粒子を強制沈降させる請求項１〜５のいずれか１つに記載の凝集反応測定用磁石板の使用方法。
【発明の詳細な説明】
【０００１】
【発明の属する技術分野】
本発明は、被測定物質を、磁性粒子を用いて測定する測定方法（凝集反応測定法）に用いる凝集反応測定用磁石板とその使用方法に関する。
【０００２】
【従来の技術】
従来より抗原抗体反応によって起こる凝集反応を利用して検体中に抗原又は抗体が存在するか否かを検出する免疫反応検査が行われており、近年では、磁石板を利用して多数の免疫反応検査を同時に行う方法が開発されている。
【０００３】
これら従来の磁石板は、マトリクス状に配設された穴部を有し、その穴部に一つずつ磁石を保持した構造であり、前記磁石は磁極が全て同じ向きに保持されていた。
【０００４】
前記磁石板を用いる凝集反応測定方法の一つとして、磁石板上の磁石の位置と対応した複数のウェルを有する容器を用い、前記ウェルの各々に検体と、抗原または抗体を結合した磁性粒子（以下、感作磁性粒子という。）とを入れて撹拌した後、複数のウェルを有する容器を磁石板上に静置させ、前記磁石板の磁力によって適度に沈降させてその凝集状態から免疫反応の検出を行う静置法が用いられていた。
【０００５】
静置法の場合、検体中に抗原または抗体が存在すると、沈降した複数の感作磁性粒子と抗原または抗体が相互に結合し、凝集塊を形成する。このため、感作磁性粒子がそれ以上移動し辛くなってウェル底部に一様に広がる。一方、検体中に抗原または抗体が存在しない場合には感作磁性粒子は抗原または抗体と相互に結合されないので凝集塊は形成されず、感作磁性粒子は、前記磁石板の磁力に引きつけられて移動し、ウェル底部中央に収束する。
【０００６】
従って、静置法による凝集反応の判定は、ウェル底部に一様に広がった分布パターンを形成したものを陽性と判定し、ウェル底部中央に収束した分布パターンを形成したものを陰性と判定していた。
【０００７】
しかし、磁石板を用いる凝集反応測定方法において、従来の磁石板の磁力は板上の全ての部分で必ずしも一様でなく、特に磁石板の淵付近と磁石板の中央付近とでは磁力が異なり全体として磁力が不均一であり、各ウェルに対して磁力が均一にかからないという問題点があった。
【０００８】
特に、上記静置法においては、磁力によって形成される磁性粒子のパターンを判定するため、各ウェルに磁力が均一にかからないと、磁性粒子の分布パターンにバラツキが生じて、正しい判定ができなくなってしまうおそれがある。
【０００９】
一方、静置法では、弱い磁力で時間をかけて集磁するため、静置時間が長く、多数検体を処理するのには効率が悪いという問題点があったため、本願出願人は、磁石板を用いる新たな凝集反応測定方法を開発提案してきた（特開平３ー１４４３６７号公報、特開平３ー１９１８６４号公報）。この凝集反応測定方法は、検体と感作磁性粒子とを、例えばマイクロプレートのような複数のウェルを備えた容器に入れて撹拌した後、所定の強さを有する磁力によって強制沈降させ、その後その容器を傾けてウェル底部における磁性粒子の流れ出しを判断する流れ出し凝集反応測定方法である。
【００１０】
流れ出し凝集反応測定の場合、検体中の感作磁性粒子は一度強制的に沈降するが、検体中に抗原または抗体が存在していると感作磁性粒子と抗原または抗体が相互に結合し、凝集塊を形成するため、傾斜後も凝集した状態のままウェル底部中央からほとんど移動せず流れ出しにくい。一方、検体中に抗原または抗体が存在しないと、感作磁性粒子に結合せず、凝集塊を形成しないので傾斜後は感作磁性粒子が底部から移動し、底部中央から尾を引くように流れ出す。
【００１１】
従って、流れ出し凝集反応測定における判定方法は、ウェル傾斜後の磁性粒子が収束したままのパターンを形成したものを陽性と判定し、底部中央から流れ出したパターンを形成したものを陰性と判定している。
【００１２】
上記の流れ出し凝集反応測定方法では、静置法で用いた磁石よりも磁力の強い磁石を用いて感作磁性粒子を強制沈降させ、検査時間を短くするため、より強力な磁力が要求されると共に、やはり、従来の磁石板の磁力の不均一は、凝集状態の強弱を生じさせることとなり、このため、容器傾斜後の流れ出しも不均一となり、判定を難しくしていた。
【００１３】
【発明が解決しようとする課題】
本発明は、上記問題を解決するためになされたものであり、複数個の磁石を配設した磁石板の磁力をより均一さらに強力にできる凝集反応測定用磁石板とその使用方法を提供することを目的とする。
【００１４】
【課題を解決するための手段】
上記目的を達成するために、本発明の凝集反応測定用磁石板は、配設した複数個の穴に隣接する磁石の磁極の向きを異ならせて該磁石を嵌挿し保持したものである。
【００１５】
これにより、従来と同じ磁石を用いた場合でも該凝集反応測定用磁石板の磁力を均一にし、強化することができる。
【００１６】
さらに、配設した複数個の穴の隣接する行又は列毎に前記磁石の磁極の向きを異ならせて挿嵌保持することで、より磁力を均一にし強化した凝集反応測定に適した凝集反応測定用磁石板とすることができる。
【００１７】
また、配設した複数個の穴の行及び列の隣接する前記磁石の磁極の向きを異ならせて挿嵌保持することでも、より磁力を均一にし強化した凝集反応測定に適した凝集反応測定用磁石板とすることができる。
【００１８】
そして、配設された複数個の穴を有する磁石挿入板に磁石を嵌挿した磁石板本体と、該磁石板本体の一方の面に固定される支持板と、他の面に固定される前記複数個の穴に対応して座ぐり穴を設けたカバー板とからなる凝集反応測定用磁石板にすることができる。
【００１９】
この構造によれば磁石をより安定して保持し、容器のウェル底部に磁石を精度良く安定して対応させることができる。
【００２０】
そして、前記磁石挿入板を非磁性材とし、前記支持板を磁性材とすることにより、磁力の均一性を高め、かつ磁石間の磁力を強くすることができる。
【００２１】
また、磁石挿入板をアルミ製、支持板を鉄製、および前記カバー板をアルミ製とすれば、凝集反応測定に適した磁石の均一性および磁力の強さを得ることができる。
【００２２】
さらに、前記カバー板において、座ぐり穴が底部に向けて次第に狭くなる傾斜穴とすれば、Ｕ底やＶ底のウェルを有する容器と対応し、精度良く安定して磁石を保持することができる。
【００２３】
そして、上記凝集反応測定用磁石板は、検体と感作磁性粒子とを入れた容器底部に当接して、上記磁性粒子を強制沈降させる凝集反応測定に用いることができ、磁力を均一にして、容器のウェル毎の集磁率のバラツキを少なくし、従来より精度の良い測定を行うことができる。
【００２４】
【発明の実施の形態およびその実施例】
以下に、本発明に係る凝集反応測定用磁石板の発明の実施の形態およびその実施例を示す。また、流れ出しの凝集反応測定方法によった結果をＣＣＤカメラ方式画像測定装置によって測定した場合を磁石の磁気方向が一定の磁石板と比較して図面及び表に基づいて説明する。
【００２５】
［磁石板の作成方法］
図１に本発明の一実施例である凝集反応測定用磁石板１、２、５、６及び比較例３、４（磁石方向の条件は後述する。）の縦断面図を示す。
【００２６】
まず、カバー板１０、磁石挿入板１３、支持板２０または支持板２２、及び磁石８を９６個用意する。
【００２７】
ここで、前記カバー板１０は厚さ３ミリ、１１０ミリ×７４ミリからなる板であり、マイクロプレート（本願出願人作製）５２の９６穴ウェル５４（後述する図３参照）をそれぞれ挿嵌させる座ぐり穴１０ａが対応して設けられている。この座ぐり穴１０ａは底部直径３ミリの開口を有し、この底部に向けて次第に狭くなるテーパー１２０度の傾斜穴である。尚、前記カバー板１０は非磁性材、例えば、アルミ板で作製することが好ましい。また、前記カバー板１０の大きさ並びに厚さ及び前記座ぐり穴１０ａの形状は、使用するマイクロプレートに対応させて変えることができる。
【００２８】
また、前記磁石挿入板１３は厚さ１．５ミリ、１１０ミリ×７４ミリから構成され、９６穴のウェル位置に合わせて直径５ミリの筒状の穴１３ａが設けられている。この磁石挿入板１３は、例えば、鉄のような磁性材で作製することが好ましい。
【００２９】
また、磁石８は前記磁石挿入板１３に設けた筒状の穴１３ａに合わせて直径５ミリ、厚さ１．５ミリの円柱形であり、磁力は２０００ガウス程度である。
【００３０】
前記磁石挿入板１３の筒状の穴１３ａに前記磁石８を挿嵌して磁石板本体１５が形成される。
【００３１】
また、前記支持板２０または２２は厚さ２ミリ、１１０ミリ×７４ミリの板からなり、材質は非磁性材製あるいは磁性材製のどちらを使用することもできるので、例えば支持板２０ように鉄製とすることもでき、また支持板２２のようにアルミ製とすることもできる。
【００３２】
そして、用意した支持板２０あるいは２２上に、磁石挿入板１３を重ね、磁石挿入板１３に設けられた筒状の穴１３ａに磁石８を挿嵌して磁石挿入板１３と磁石８とから成る磁石板本体１５を支持板２０あるいは２２上に作製し、さらに前記カバー板１０を重ねて３枚の板の四隅をネジで固定し凝集反応測定用磁石板を製造する。作成する凝集反応測定用磁石板は磁性材の支持板２０あるいは非磁性材の支持板２２に９６個の磁石８の磁極の向きを様々に異ならせて何種類もの凝集反応磁石板を作成することができ、表１に示す条件で本実施例としての磁石板を磁石板１、２、５、６の４種類作成し、比較例として磁石板３、４の２種類を作成した。図２に磁石板１〜６の磁石挿入時の磁極のパターンを示す。
【００３３】
【表１】
0003658857.tif 000002
［凝集反応測定用磁石板を用いる凝集反応測定方法］
図３に前記凝集反応測定で用いるマイクロプレートの一部を断面とした側面図を示す。このマイクロプレート５２は各ウェル５４の底部がテーパー１２０度のＶ状になっており、本発明の実施例で用いるカバー板１０の座ぐり穴１０ａにウェル５４を適合保持させて使用することができる。
【００３４】
９６穴マイクロプレート５２のウェル５４内に検体と測定対象物に応じた感作磁性粒子を入れて撹拌する。
【００３５】
前記マイクロプレート５２を前記凝集反応測定用磁石板のカバー板上面に前記マイクロプレートの各ウェル５４がカバー板の座ぐり穴１０ａに対応するように安定した状態で載置させ、ウェル内の混合物が強制沈降するまで静置させる。
【００３６】
混合物を強制沈降させた後、マイクロプレート５２を前記凝集反応測定用磁石板から静かに取り外す。取り外したマイクロプレートは磁性のないところで、ウェルを傾斜させ、そのままの状態で感作磁性粒子を流れ出させるために数分置く。
【００３７】
その後、ウェル内の磁性粒子の流れ出し状態から測定を行う。
【００３８】
測定は、ウェル底部中央に感作磁性粒子が点のように収束しているときは陽性と判定し、ウェル底部から尾を引くように感作磁性粒子が流れ出していた場合には陰性と判定する。
【００３９】
［ＣＣＤカメラ方式画像測定機の作成］
（１）全体構造
図４に集磁した磁性粒子のパターンを測定するＣＣＤカメラ方式画像測定機３５の部分斜視図を示す。
【００４０】
前記ＣＣＤカメラ方式画像測定機３５は、各ウェル５４毎に撮影した画像を処理するコンピュータ３２を内蔵しており、上方に向けて設置したＣＣＤカメラ２５と、Ｘ軸方向への移動機構、カメラ上部に設置した長さ１２センチの冷陰極管を用いた光源２７、Ｙ軸方向への移動機構を持つ９６穴マイクロプレートホルダー３０とで構成されている。
【００４１】
そして、Ｘ軸方向への移動機構は、パルスモーター３７、タイミングベルト３９、及びガイドレール４０からなり、Ｙ軸方向への移動機構は、カメラと光源の間に設置したパルスモーター４２、タイミングベルト４４及びガイドレール５０からなる。
【００４２】
（２）画像データの取り込み
ＣＣＤカメラ２５を原点からＸ軸方向に移動させ、マイクロプレート５２の長辺に沿ってマイクロプレート５２の一番外側のウェル５４の画像を１列分撮影する。次に、マイクロプレート５２をＹ軸方向に前記ウェル１列分移動させ、ＣＣＤカメラ２５をＸ軸方向に移動させながら、マイクロプレート５２の２列目の各ウェルを撮影する。同様の操作をマイクロプレート５２の各列について行い、全てのウェル５４の画像データを取り込む。
【００４３】
（３）画像処理
図５に、一例として、取り込んだ各ウェル５４の画像データの各ピクセルの明暗の度合いを示す。
【００４４】
取り込んだ各ウェル５４の画像データは、５１２×１２８ピクセルのデータ量で、各ピクセルの明暗の度合いは、２５６階調で得られる（図５の（ａ）参照）。このデータを所定の明暗の閾値で２値化し、図５の（ｂ）に示すような１または０のデータに変換する。図５の（ｂ）において、１は所定の閾値より明るいデータを、０は所定の閾値より暗いデータを意味する。本実施例及び比較例につき、輝度の閾値を１５０と設定した。集磁した感作磁性粒子の直径を示す値として、２値化データの０の部分の水平方向の最長ラインを選択し、最長ライン上のピクセル数を算出した。
【００４５】
［磁石板の比較試験］
９６穴の各ウェル５４に、特公平３ー１７１０３号公報記載の磁性粒子の０．１％懸濁液を５０マイクロリットルずつ分注した前記Ｖ状の底部を有するマイクロプレート（本願出願人作製）５２を、前記磁石板１〜６上で５分間集磁し、前記ウェル５４の底部に集まった感作磁性粒子の沈降径を前記記載のＣＣＤカメラ方式画像測定装置３５にて測定した。
【００４６】
時間毎の前記磁性粒子の集合量を表２及び図６に示す。また、５分間集磁したときの磁性粒子径を１００％としたときの各集磁時間での磁性粒子集合量の割合（％）を表３及び図７に示す。
【００４７】
【表２】
0003658857.tif 000003
【表３】
0003658857.tif 000004
まず、表２及び図６から、前記磁石板１〜６毎に集合量がピークに達したときの集磁時間を見ると、磁石板２及び６が１．５分経過後、磁石板１が４分経過後、磁石板３、４、５は５分経過時であった。さらに、ピーク時の集合量を比較してみると、磁石板２が最も多く、６１．１ピクセルで、次に多いのが磁石板１の６０．５ピクセルであった。他の磁石３、４、５、６は５９乃至５７ピクセルであった。これらのことから磁石板２が最も短時間で最も多くの磁性粒子を集磁させることができているのが分かる。
【００４８】
また、集磁状態を見ると、磁石板２、６、５及び１においては集磁時間が０．５分経過時で磁石板３及び４より比較的多量に集磁できており、約２分経過時までは集磁量が多い。このことから、例えば、流れ出し凝集反応測定方法において、強制沈降時間を２分以内で行う場合には、磁石の磁極の向きを異ならせて挿嵌させた磁石板１、２、５及び６が、磁極の向きを同じとした磁石板３及び４より適していることが分かる。
【００４９】
また、磁石板１の構成は、支持板のみが磁石板２と異なっており、非磁性材であるアルミ板を用いている。このことから、磁性粒子の集合量及び集磁時間の双方の点で、支持板は、非磁性材のアルミ板に対して磁性材である鉄板の方が凝集反応測定において効果的であることが分かる。
【００５０】
さらに、表３及び図７と合わせて磁石板毎の効果をみると、磁石板６が、磁石板２に比べて磁性粒子の集合量は少ないものの、時間毎の集磁率では、磁石板２とほぼ同様の高い割合を示していることが分かる。ここで、磁石板４及び６は支持板において、磁石板２と同様の鉄板を用いているため、磁石板２と異なる点は、磁石８の磁極の向きのみである。このことから、磁石の磁極の向きは列毎にＳ極Ｎ極が交互になるように挿嵌させたパターンが集磁率が最も高いため、凝集反応測定用磁石板のパターンとして好ましく、磁石の磁極が１つづつ交互になるように挿嵌させたパターンにおいても、磁極を全て同じ向きに挿嵌したものと比べると、はるかに集磁率が高く凝集反応測定用磁石板として効果的であるということが分かる。
【００５１】
従って、凝集反応測定においては、隣接する磁石８の磁極の向きを異ならせて挿嵌させた磁石板とすることが強制沈降時の集磁率の面で効果的であり、かつ、支持板として、例えば鉄のような磁性材を用いた前記磁石板とすると、流れ出し凝集反応測定において、強制沈降の際の磁性粒子の集合量を従来より増加させることができる。
【００５２】
さらに、各時間毎の粒子径のバラツキを表４及び図８に示す。
【００５３】
【表４】
0003658857.tif 000005
バラツキの点においても、磁石板２が他の磁石板と比べてバラツキの割合が低く、さらに、１分程度の短い集磁時間においてもバラツキが低いことから、集磁率および粒子径のバラツキ共に他の磁石板より優れていることが分かる。
【００５４】
また、磁石板１においても集磁時間２分経過後当たりからほぼ磁石板２と同様にバラツキが少なくなっており、上述したように集磁率も高いことから凝集反応測定に適している。
【００５５】
次に、磁石板３、４、５及び６について磁石板毎のバラツキの最も少なくなる時間を見ると、磁石板３および４は磁石板５および６に比べて約２分程度遅いことが分かる。従って、凝集反応測定を行う限られた沈降時間では、磁石板５および６が短時間で最小のバラツキで集磁することができる。ただし、磁石板４については磁石板１とほぼ同じバラツキ状態であり、これに対して同じ磁石の配設パターンの磁石板３がバラツキが最も多いことから、支持板を鉄製とした方がより効果的であることを示している。
【００５６】
以上説明したように、集磁速度の速さとウェル毎の集磁量の均一性から、磁石板１、２、５及び６が磁石板３及び４より良く、最も良い条件は磁石板２であった。
【００５７】
［流れ出し測定における磁石板の効果］
前記磁石板の比較試験で記載した磁性粒子を５０マイクロリットルずつ分注した前記マイクロプレート（本願出願人作製）５２（図３参照）と、前記磁石板２〜６を用い、前記ＣＣＤカメラ方式画像測定装置３５にて、感作磁性粒子の流れ出し状態を測定した。測定時の集磁時間は１分、傾斜時間は２分で行った。流れ出し長さ及びバラツキの結果を表５及び図９及び図１０に示す。
【００５８】
【表５】
0003658857.tif 000006
図９において、磁石板２が流れ出しが最も長く次に磁石板４、６の順で流れ出しが長く凝集反応測定に適している。また、図１０においても磁石板６および２が同様にバラツキが少なく、磁石板４及び５においても比較的少ない。これに対して磁石板３が明らかにバラツキが目立ち、図９の粒子長も最も短かったことから凝集反応測定にはあまり適していないことが分かった。
【００５９】
［磁石板の総合評価］
これらの点から相対的に判断すると、支持板に磁性材である鉄を用い、列毎にＳ極Ｎ極が交互になるように磁石８を挿嵌した磁石板２が凝集反応測定に最も適しており、次に、同様に鉄製の支持板を用いて行及び列の隣接する磁石の磁極の向きを異ならせて挿嵌した磁石板６が適していることが分かった。
【００６０】
［応用］
上述のとおり、磁石の磁極の向きの配列パターン及び支持板の材質によって磁力の均一性及び磁力の強さを変化させることができることが明らかになった。
【００６１】
これらの変化を利用すれば、従来と同じ磁石を用いた場合でも従来より問題であった磁力の均一性を高めることができ、容器間の集磁量のバラツキを小さくすることができる。
【００６２】
また、該磁石の磁極の向きの配列と支持板の材質の組み合わせによって、１種類の磁石で何通りもの磁力を作り出すことができる。
【００６３】
このため、測定毎に性質の異なる磁性粒子を用いる場合でも、その磁性粒子に合わせて、新たに磁石を用意する必要がなく、従来の磁石の磁極の配列パターンを異ならせてその磁性粒子に適した磁力に調整して用いることができる。
【００６４】
【発明の効果】
本発明は、以上説明したように、配設した複数個の穴に隣接する磁石の磁極の向きを異ならせて該磁石を嵌挿し保持したものであるため、従来と同じ磁石を用いた場合でも磁力を均一にし、粒子径、流れ出し等のバラツキを少なくすることができると共に、磁力を強化することができ、集磁時間の短縮を図ることができる。
【００６５】
さらに、配設した複数個の穴の隣接する行又は列毎に前記磁石の磁極の向きを異ならせて挿嵌保持することで磁力をより均一かつ磁力を適度に強化することができ、効率的な測定処理が可能となる。
【００６６】
また、配設した複数個の穴の行及び列の隣接する前記磁石の磁極の向きを異ならせて挿嵌保持することでも、より磁力を均一かつ磁力を適度に強化することができ、効率的な測定処理が可能となる。
【００６７】
そして、配設された複数個の穴を有する磁石挿入板に磁石を挿嵌した磁石板本体と、該磁石板本体の一方の面に固定される支持板と、他の面に固定される前記複数個の穴に対応して座ぐり穴を設けたカバー板とからなる凝集反応測定用磁石板とすることによって、磁石を安定して保持し、容器のウェル底部に磁石を位置精度良く安定して対応させることができる。
【００６８】
そして、磁石挿入板を非磁性材とし、支持板を磁性材とすることにより、磁石間の磁力を強めると共に磁力を均一にして粒子径のバラツキを少なくすることができる。
【００６９】
また、磁石を保持する磁石挿入板をアルミ製とし、その一方の面に固定される支持板を鉄製とし、前記カバー板をアルミ製で作製したものとして磁石板を用いれば磁石の磁力を均一かつ磁力を適度に強めることができる。
【００７０】
さらに、前記カバー板において、座ぐり穴が底部に向けて次第に狭くなる傾斜穴とすれば、容器のウェルの底部と磁石との対応をより位置精度良く安定させることができる。
【００７１】
そして、凝集反応測定用磁石板を検体と、抗原又は抗体を結合した磁性粒子とを入れた容器の底部に当接して、上記磁性粒子を強制沈降させることで、磁力を均一にして、容器ウェル毎の集磁率のバラツキを少なくし、精度の良い測定を可能とできる。
【図面の簡単な説明】
【図１】  本発明の一実施例を示す凝集反応測定用磁石板１、２、５、６及び比較例の磁石板３、４の縦断面図である。
【図２】  本発明の一実施例を示す磁石板１、２、５、６及び比較例３、４の磁石板における磁石挿入時の磁極のパターンの部分平面図である。
【図３】  本発明の一実施例で用いるマイクロプレートの一部を断面とした部分側面図である。
【図４】  本発明の一実施例としての磁石板を用いたＣＣＤカメラ画像測定装置の部分斜視図である。
【図５】  ＣＣＤ画像カメラで取り込んだ各ウェルの画像データの各ピクセルの明暗の度合いを示す図である。
【図６】  磁石板１〜６の強制沈降の際の時間毎の磁性粒子の集合量を示す図である。
【図７】  磁石板１〜６において、５分間集磁したときの磁性粒子径を１００％としたときの各集磁時間での磁性粒子量の割合（％）を示す図である。
【図８】  磁石板１〜６において、各時間毎の粒子径のバラツキを示す図である。
【図９】  磁石板２〜６において、流れ出し長さ及びバラツキの結果を示す図である。
【図１０】  磁石板２〜６において、流れ出し長さ及びバラツキの結果を示す図である。
【符号の説明】
１〜６  凝集反応測定用磁石板、  ８  磁石、  １０  カバー板、  １０ａ  座ぐり穴、  １３  磁石挿入板、  １３ａ  穴、  １５  磁石板本体、  ２０，２２  支持板、  ２５  ＣＣＤカメラ、  ２７  冷陰極管を用いた光源、  ３０９６穴ウェルマイクロプレートホルダー、  ３２  コンピュータ、  ３５  ＣＣＤカメラ方式画像測定装置、  ３７，４２  パルスモーター、  ３９，４４  タイミングベルト、  ４０，５０  ガイドレール、  ５２  マイクロプレート、５４  ウェル。
【図１】
0003658857.tif 000007
【図２】
0003658857.tif 000008
【図３】
0003658857.tif 000009
【図４】
0003658857.tif 000010
【図５】
0003658857.tif 000011
【図６】
0003658857.tif 000012
【図７】
0003658857.tif 000013
【図８】
0003658857.tif 000014
【図９】
0003658857.tif 000015
【図１０】
0003658857.tif 000016